(57)【要約】【課題】  地球温暖化問題の解決のため地球に影響を与える太陽からのエネルギー量を制限する。【解決手段】  地球上の平均気温は太陽から到達するエネルギー量と地球から宇宙へ放射されるエネルギー量とがほぼ同じで、バランスするところに決まっているが、そのバランスを、反射鏡を使って太陽光の一部を地球の環境に何の痕跡も残さず宇宙の彼方に反射させて崩し、地球の平均気温が下がる方向に導く。【選択図】図２
2012177532.tif 000002
【特許請求の範囲】
【請求項１】
太陽光エネルギーを宇宙の彼方に反射するため、屋根状に作られた架台の上に多数の反射鏡を配置接着した太陽光の反射装置。
【発明の詳細な説明】
【技術分野】
【０００１】  本発明は温暖化した地球上の平均気温を引き下げる工学的手段に関する。
【先行技術文献】
【０００２】  本発明に類する先行技術は存在しない。
【発明の概要】
【発明が解決しようとする課題】
【０００８】  地球の温暖化の要因になっている、大気圏の崩れたエネルギーバランスを、温暖化が発生する前の状態に修復する事が可能な工学的方法を発明する。
【課題を解決する上の問題点】
【０００４】  地球の温暖化の要因は地球上のエネルギーのバランスが崩れたことが原因になっている。
地球上の温暖化問題が発生する以前は、太陽から供給されるエネルギー量と地球から宇宙へ放射されるエネルギーの量とがほぼ同量で、その収支のバランスは均衡が保たれていたので、地球上の平均気温は安定していた。
地球の温暖化問題は、長年安定していた地球上の環境が、現代文明が発展し始めた１９世紀以降、文明が使い捨てたエネルギーの大半が大気圏内に集積されるようになって、急に顕在化するようになった。
【０００５】  一般に地球温暖化問題の発生は、現代文明が発生させたＣＯ２ガスやその他の温室効果ガスによる太陽エネルギーの閉じ込め現象が要因とされているが、この説は単なる推測や空想であって、明確な科学的根拠に基づくものではない。
その証拠に、例えば１トンのＣＯ２ガスを削減することが、地球の温暖化の元となる熱エネルギーを、具体的に何キロカロリー削減するのに相当すると言う、明確な科学的論拠となるデータが存在しない事実からでも明らかである。
【０００６】  一方、現代文明が大気圏内で発生するエネルギー量は明確に把握され、その量は地球上の環境を温暖化させるのに十分なスケールで、使用後のエネルギーの大部分は宇宙に放散されることなく地球上の環境内に留まっている。
その蓄積量の増加は近年とみに顕著になり、南北両極地にある氷や高冷地にある氷河の融解現象として表れ、溶け出した水は海水面を上昇させ，標高の低い国では冠水による水没災害が起きている。
【０００７】  この様な状況下においてその対策として最も有望視されているのが、再生可能エネルギーと言われる自然エネルギーの開発と普及である。
しかし、このエネルギーの開発、普及は地球温暖化の進行をある程度遅らせることは出来ても、進行そのものを阻止したり、地球上の環境を現代文明の発生以前の安定した状態に戻すような、完全な地球温暖化対策にすることは出来ない。
即ち現在、現代文明が発生している膨大な量のエネルギーを全て再生可能エネルギーで代替させることは不可能であり、既に長年に亘って大気圏内に蓄積してきたエネルギーを宇宙の彼方に放散させるようなことは出来ない。
【０００８】  地球温暖化対策は、既に地球上に蓄積されているエネルギーを宇宙空間に放散し、地球上の環境を産業革命以前のエネルギーの収支バランスが保たれていた当時の状態に戻すことが出来る機能がなければ意味が無い。
それを可能にする対策とは、地球の大気圏内にあるエネルギー量を工学的に増減出来る対策のことを意味する。
【０００９】  その対策は具体的には地球の表面の環境を人為的に冷却して、平均気温の上昇を抑える工学的方法を工夫する事であるが、その方法は熱力学上の原理から、この場合は大気圏内で工学的冷却技術、即ち熱力学上の冷凍サイクルを使用する技術では目的を達する事は出来ない。
従って本発明は、熱力学的方法を使うことなく地球の環境を冷却し、地球の温暖化を阻止し、エネルギーバランスを回復する方法を創出しなければならない事が課題である。
【問題点を解決する為の手段】
【００１０】  地球表面のエネルギーバランスは静的ではなく、動的にバランスが保たれている。即ち太陽から供給されるエネルギー量は時間当たりほぼ一定であり、地球から宇宙へ放散されるエネルギー量も大体一定していて、その収支はバランスが保たれている。従ってこのバランスを崩せば熱力学的手段を使わなくても地球上の平均気温を下げることが出来る筈である。つまり熱力学的手段を使うことなく地球上の環境の温度は下げられる。
太陽から到達するエネルギーの収支は図１のように簡略化して表されるが、このエネルギーの動向の中に地球という巨大な天体の表面の環境を、人為的に冷却できる可能性を見出すことが出来る。
【００１１】  太陽から地球に到達するエネルギーは１００％地球上の物質、即ち水や空気、地面を加熱するのではなく、約３０％のエネルギーは地球上に何の痕跡も残さず宇宙空間に反射し消失する。
そのバランスしている状態は［図１］で明らかなのように、太陽から到来するエネルギーは大気による反射６％、雲による反射２０％、地球表面からの反射４％の合計３０％のエネルギーは地球上に何ら影響を与えることなく宇宙に飛散し、地表面に到達するエネルギーは残りの約７０％で、それが地球上から宇宙へ放射されるエネルギーとバランスしている。
そこで、人為的に宇宙空間に反射するエネルギー量の割合を増やし、太陽の地球上に影響を与える実質的エネルギーの量を減らして、相対的に地球から宇宙に放射するエネルギー量を多くすることが出来れば、地球上の環境の温度を下げることが出来る。
即ち［図１］において、▲１▼の地表面からの反射するエネルギー量の４％を増やし、▲２▼の地球表面に吸収される量５１％を人為的に減らすと言う手段をとる。
【００１２】  それを実現するには反射鏡を使う方法が有効である。即ち地球上には赤道付近に太陽光が強く照射されている砂漠地帯が多く、反射鏡を設置するのに適した不毛な場所が多数存在するので、そこを有効に活用する。
しかし、地球という巨大な天体の表面の平均気温を、太陽エネルギーの宇宙空間への反射によるによって、受熱量を加減する方法で遂行しようとすると、その装置は現在人類が持っている科学技術の水準で対応出来るものであるか否か、その確認が必要である。
【発明の効果】
【００１３】  地球の表面の大気に入射する太陽のエネルギー量、即ち太陽常数は１．３６６ｋｗ／ｍ２である。
実際に太陽光を反射するために地球表面に設置される反射鏡の反射効率を９０％程度に見ると、反射できる太陽光エネルギーは１．２３ｋｗ／ｍ２となるが、仮に設置される反射鏡の延べ面積が１ｋｍ２ある場合を考えると、その反射エネルギー量は、単純計算では実に１２３万キロワットになる。
それは４０万キロワットの原子力発電の原子炉が発生する熱エネルギーに相当する大きさで、その放熱効果は十分実用に使えるレベルと言える。
【発明を実施するための最良の形態】
【００１４】  例えば５ｍ×５ｍの反射鏡を１０００枚、［図２］のような架台に装着してユニット化し、それを一箇所に１００基、砂漠に設置するような事業を考えると、そのような事業は現在の科学技術の水準で問題になる要素はない。
その装置によって反射できる太陽エネルギーは、単純に計算すると、一箇所当たり最大２５０万キロワットのエネルギーが反射が出来る計算になる。従って、この反射鏡方式で地球上に影響を与える太陽エネルギーの量を、仮に１億キロワットの削減をしようとする事を目指すならば、その装置を広大な砂漠の中に４０箇所、同じスケールの設備を建設する事で目的が達せられる。
我が国の原子力発電は合計４８００万キロワット余りで、その発電のために原子炉で発生する熱エネルギーは約１億７０００万キロワット余りである。
仮に同量の熱エネルギーを反射鏡を使って宇宙に放出しようとすると、６８箇所の装置の建設で対応出来る計算になる。従って反射鏡を使った地球冷却方式の温暖化対策は、反射能力の大きさから、単なる空理空論ではなく、十分現実的技術として使える技術であると言うことができる。
しかもその装置を建設するのに必要な科学技術は、現代文明の持っている工業技術の水準で言えば、決して難度の高い技術を要するものではない。【００１５】  装置そのものは［図２］に示すように、太陽に向けて多くの鏡が貼り付けられた架台を、広範な場所に多数設置することになるが、その構造は太陽光を宇宙に向けて反射するだけが目的であるから、架台の機構は単純で、装置の建設や、維持管理の面でも特異な要素は含まれない。その為反射エネルギーが巨大な割りに、少ない建設費や維持管理の負担で大きな効果が期待できる。
【図面の簡単な説明】
【００１６】
【図１】地球上のエネルギーの収支バランス図
【図２】反射鏡を設置する架台装置
【符号の説明】
【００１７】▲１▼  地球表面からの反射４％
▲２▼  地球表面の吸収５１％
１      反射鏡
２      架台
【図１】
2012177532.tif 000003
【図２】
2012177532.tif 000004